(57)【要約】 【課題】  低電圧かつ高電流の負荷回路であっても、過電流検知特性を維持したまま、負荷回路の駆動不良を回避することができる過電流検知回路および電子機器を提供する。【解決手段】  シリーズ電源Ａ４１は、出力電圧が上昇するとき、出力電圧が減電圧復帰レベルになると、負荷回路の動作を停止させるＲＥＳＥＴ出力信号を解除し、出力電圧が低下するとき、出力電圧が減電圧復帰レベルよりも低い電圧値の減電圧検知レベルになるとＲＥＳＥＴ出力信号を出力する。過電流保護回路２０は、そのＲＥＳＥＴ出力信号によって、過電流を停止する電流値をＩｓ５からＩｓ６に切り替える過電流検知レベルと、過電流を停止する電流値をＩｓ６からＩｓ５に切り替える過電流復帰レベルとを切り換える。過電流復帰レベルは、減電圧復帰レベルと同じ電圧値であり、過電流検知レベルは、減電圧検知レベルと同じ電圧値である。【選択図】      図４
2009230588.tif 000002
【特許請求の範囲】
【請求項１】
シリーズレギュレータが出力する出力電圧が低下するとき、出力電圧が予め定める第１の基準電圧値以下になると、前記シリーズレギュレータの出力側に接続されている負荷回路の動作を停止させる停止信号の出力を開始し、前記シリーズレギュレータが出力する出力電圧が上昇するとき、出力電圧が前記第１の基準電圧値よりも高い予め定める第２の基準電圧値以上になると前記停止信号の出力を停止する停止信号生成回路を備える前記シリーズレギュレータの入力側から出力側に流れる電流の電流値を検知して、検知した電流値に応じて前記電流を停止する過電流検知回路であって、
前記シリーズレギュレータが出力する出力電圧が低下するとき、出力電圧が予め定める第３の基準電圧値以下になると、前記シリーズレギュレータの入力側から出力側に流れる電流を停止する電流値を予め定める第１の制限電流値から第１の制限電流値よりも低い予め定める第２の制限電流値に切り換え、検知した電流値が予め定める第２の制限電流値以上になると前記電流を停止し、
前記シリーズレギュレータが出力する出力電圧が上昇するとき、出力電圧が第３の基準電圧値よりも高い予め定める第４の基準電圧値以上になると、前記シリーズレギュレータの入力側から出力側に流れる電流を停止する電流値を前記第２の制限電流値から前記第１の制限電流値に切り換え、検知した電流値が予め定める第１の制限電流値以上になると前記電流を停止し、
前記第３の基準電圧値が前記第１の基準電圧値と同じ電圧値に設定されていることを特徴とする過電流検知回路。
【請求項２】
前記第４の基準電圧値が前記第２の基準電圧値と同じ電圧値に設定されていることを特徴とする請求項１に記載の過電流検知回路。
【請求項３】
前記シリーズレギュレータは、予め定める第１の出力電圧値の電圧を出力し、
第１の出力電圧値よりも高い予め定める第２の出力電圧値の電圧を出力する第２のシリーズレギュレータは、前記シリーズレギュレータが出力する出力電圧の電圧値が予め定める第５の基準電圧値に達したときに出力を開始し、
前記第３の基準電圧値が前記第５の基準電圧値と同じ電圧値に設定されていることを特徴とする請求項１または２に記載の過電流検知回路。
【請求項４】
前記シリーズレギュレータは、予め定める第１の出力電圧値の電圧を出力し、
第１の出力電圧値よりも高い予め定める第２の出力電圧値の電圧を出力する第２のシリーズレギュレータは、前記シリーズレギュレータが出力する出力電圧の電圧値が予め定める第５の基準電圧値に達したときに出力を開始し、
前記第４の基準電圧値が前記第５の基準電圧値と同じ電圧値に設定されていることを特徴とする請求項１または２に記載の過電流検知回路。
【請求項５】
前記停止信号生成回路は、前記シリーズレギュレータの入力側から出力側に流れる電流を停止する電流値が前記第２の制限電流値から前記第１の制限電流値に切り換えられた後、前記停止信号の出力を停止することを特徴とする請求項１または２に記載の過電流検知回路。
【請求項６】
前記停止信号生成回路が前記停止信号の出力を開始した後、前記シリーズレギュレータの入力側から出力側に流れる電流を停止する電流値を前記第１の制限電流値から前記第２の制限電流値に切り換えることを特徴とする請求項１または２に記載の過電流検知回路。
【請求項７】
前記第２のシリーズレギュレータは、前記シリーズレギュレータの入力側から出力側に流れる電流を停止する電流値が前記第２の制限電流値から前記第１の制限電流値に切り換えられた後、出力を開始することを特徴とする請求項３または４に記載の過電流検知回路。
【請求項８】
前記第２のシリーズレギュレータが出力を停止した後、前記シリーズレギュレータの入力側から出力側に流れる電流を停止する電流値を前記第１の制限電流値から前記第２の制限電流値に切り換えることを特徴とする請求項３または４に記載の過電流検知回路。
【請求項９】
請求項１〜８のいずれか１つに記載の過電流検知回路を備えることを特徴とする電子機器。
【発明の詳細な説明】
【技術分野】
【０００１】
本発明は、定電圧を出力するレギュレータを流れる過電流を検知してレギュレータを過電流から保護する過電流検知回路および電子機器に関する。
【背景技術】
【０００２】
図１は、従来の技術による電源回路９の一例を示す図である。電源装置９は、バッテリ９０の出力を２系統の電圧で出力するＳＷ（スイッチング）電源９１、ならびにＳＷ電源９１が出力する２系統の電圧の出力のうちの１つを５Ｖに変換して出力するシリーズ電源９２、およびＳＷ電源９１が出力する２系統の電圧の出力のうちの他の１つを１．５Ｖに変換して出力するシリーズ電源９３によって構成されている。シリーズ電源９２は、たとえばマイクロコンピュータ（以下「マイコン」という）Ｉ／Ｏ（入出力）などに電圧５Ｖを出力するシリーズレギュレータであり、シリーズ電源９３は、たとえばマイコンコアなどに電圧１．５Ｖを出力するシリーズレギュレータである。これらのシリーズレギュレータは、過電流からシリーズレギュレータを保護するために、過電流を検出してシリーズレギュレータを流れる電流を停止する過電流検出回路を有する。
【０００３】
図２は、シリーズ電源９３で用いられる過電流保護回路の過電流検知特性の一例を示す図である。図２に示した過電流検知特性は、チャタリングを防止するためにヒステリシスを持たせた２段垂下特性の過電流検知特性の例であり、横軸が出力電流、および縦軸が出力電圧である。出力電流Ｉｓ１は、出力電圧が高いときに出力電流を停止する上限の電流値であり、出力電流Ｉｓ２は、出力電圧が低いときに出力電流を停止する上限の電流値である。出力電圧Ｖｔ１は、シリーズ電源９３が出力する定電圧の電圧値、たとえば１．５Ｖであり、出力電圧Ｖｆ１は、出力電圧が上昇するときに出力電流の上限値をＩｓ２からＩｓ１に切り換える電圧値（以下「過電流復帰レベル」という）であり、出力電圧Ｖｋ１は、出力電圧が低下するときに出力電流の上限値をＩｓ１からＩｓ２に切り換える電圧値以下「過電流検知レベル」という）である。
【０００４】
２段垂下特性の過電流検知特性を有する従来の技術として、低電圧電源回路がある。この低電圧電源回路は、出力電圧が低下して閾値Ｖｔｈ１になると出力電流の上限をＩ１からＩ２に切り換え、出力電圧が上昇して閾値Ｖｔｈ１よりも大きい値である閾値Ｖｔｈ２になると出力電流の上限をＩ２からＩ１に切り換えるヒステリシスを有する過電流検知特性を備える（たとえば特許文献１参照）。
【０００５】
【特許文献１】特表２００４−９５１５６号公報
【発明の開示】
【発明が解決しようとする課題】
【０００６】
しかしながら、半導体製造の微細化が進み、マイコンコアの電源電圧が低下、たとえば１．５Ｖから１．０〜１．２Ｖに低下するとともに、高性能化するために用いられるクロックの周波数が高くなり、消費電流が増加、たとえば３００ｍＡから６００ｍＡに増加している。
【０００７】
図３は、低電圧化かつ高電流化したシリーズレギュレータで用いられる過電流保護回路の過電流検知特性の一例を示す図である。出力電圧が高いときに出力電流を停止する上限の電流値である出力電流Ｉｓ３は、たとえば図２に示した出力電流Ｉｓ１の倍の値であり、出力電圧が低いときに出力電流を停止する上限の電流値である出力電流Ｉｓ４は、たとえば図２に示した出力電流Ｉｓ２の倍の値である。出力電圧Ｖｔ２は、シリーズレギュレータが出力する定電圧の電圧値、たとえばシリーズ電源９３の出力電圧１．５Ｖよりも低い値１．２Ｖである。
【０００８】
負荷線は、シリーズレギュレータに接続されている負荷回路、たとえば低電圧かつ高電流のマイコンコアに印加される電圧とそのマイコンコアに流れる電流とによって決まる負荷量を表す線である。マイコンコアの負荷は、一定であるので、印加される電圧、すなわちシリーズレギュレータの出力電圧が上昇すると、マイコンコアに流れる電流は、印加される電圧に比例して上昇する。しかしながら、負荷線が電流値Ｉｓ４での過電流検知特性と点Ａで交差しており、印加される電圧が増加しても、その電圧が過電流復帰レベルＶｆ２に到達するまで、シリーズレギュレータから出力される電流は、電流値Ｉｓ４より大きくなることはない。この場合、出力電圧がＶｆ２に達するまでに時間がかかり、マイコンコアが所定時間内に動作を開始することができない。
【０００９】
所定時間内に動作を開始することができないことなどの負荷回路の駆動不良の問題を回避するためには、負荷線と過電流復帰レベルの過電流検出特性とが交差しないように、出力電流の制限値Ｉｓ４を高くすることが考えられるが、シリーズレギュレータの出力側で短絡したときの損失を低減するという過電流保護回路を設ける目的に反することになる。あるいは、過電流復帰レベルＶｆ２を下げることが考えられるが、過電流復帰レベルＶｆ２と過電流検知レベルＶｋ２との差が小さくなり、つまりヒステリシスの幅Ｈが小さくなり、ノイズなどによって発振する可能性が高くなるという問題がある。
【００１０】
本発明の目的は、低電圧かつ高電流の負荷回路であっても、過電流検知特性を維持したまま、負荷回路の駆動不良を回避することができる過電流検知回路および電子機器を提供することである。
【課題を解決するための手段】
【００１１】
本発明（１）は、シリーズレギュレータが出力する出力電圧が低下するとき、出力電圧が予め定める第１の基準電圧値以下になると、前記シリーズレギュレータの出力側に接続されている負荷回路の動作を停止させる停止信号の出力を開始し、前記シリーズレギュレータが出力する出力電圧が上昇するとき、出力電圧が前記第１の基準電圧値よりも高い予め定める第２の基準電圧値以上になると前記停止信号の出力を停止する停止信号生成回路を備える前記シリーズレギュレータの入力側から出力側に流れる電流の電流値を検知して、検知した電流値に応じて前記電流を停止する過電流検知回路であって、
前記シリーズレギュレータが出力する出力電圧が低下するとき、出力電圧が予め定める第３の基準電圧値以下になると、前記シリーズレギュレータの入力側から出力側に流れる電流を停止する電流値を予め定める第１の制限電流値から第１の制限電流値よりも低い予め定める第２の制限電流値に切り換え、検知した電流値が予め定める第２の制限電流値以上になると前記電流を停止し、
前記シリーズレギュレータが出力する出力電圧が上昇するとき、出力電圧が第３の基準電圧値よりも高い予め定める第４の基準電圧値以上になると、前記シリーズレギュレータの入力側から出力側に流れる電流を停止する電流値を前記第２の制限電流値から前記第１の制限電流値に切り換え、検知した電流値が予め定める第１の制限電流値以上になると前記電流を停止し、
前記第３の基準電圧値が前記第１の基準電圧値と同じ電圧値に設定されていることを特徴とする過電流検知回路である。
また本発明（９）は、前記過電流検知回路を備えることを特徴とする電子機器である。
【発明の効果】
【００１２】
本発明（１）によれば、停止信号生成回路によって、その停止信号生成回路を備えるシリーズレギュレータが出力する出力電圧が低下するとき、出力電圧が予め定める第１の基準電圧値以下になると、前記シリーズレギュレータの出力側に接続されている負荷回路の動作を停止させる停止信号の出力が開始され、前記シリーズレギュレータが出力する出力電圧が上昇するとき、出力電圧が前記第１の基準電圧値よりも高い予め定める第２の基準電圧値以上になると、前記停止信号の出力が停止される。前記シリーズレギュレータの入力側から出力側に流れる電流の電流値を検知して、検知した電流値に応じて前記電流を停止するにあたって、前記シリーズレギュレータが出力する出力電圧が低下するとき、出力電圧が予め定める第３の基準電圧値以下になると、前記シリーズレギュレータの入力側から出力側に流れる電流を停止する電流値が、予め定める第１の制限電流値から第１の制限電流値よりも低い予め定める第２の制限電流値に切り換えられ、検知した電流値が予め定める第２の制限電流値以上になると前記電流が停止される。前記シリーズレギュレータが出力する出力電圧が上昇するとき、出力電圧が第３の基準電圧値よりも高い予め定める第４の基準電圧値以上になると、前記シリーズレギュレータの入力側から出力側に流れる電流を停止する電流値が前記第２の制限電流値から前記第１の制限電流値に切り換えられ、検知した電流値が予め定める第１の制限電流値以上になると前記電流が停止される。そして、前記第３の基準電圧値は、前記第１の基準電圧値と同じ電圧値に設定されている。
【００１３】
したがって、出力電圧が低下し、電流を停止する電流値が前記第２の制限電流値から前記第１の制限電流値に切り換えられると同時に停止信号が出力されるので、低電圧かつ高電流の負荷回路であっても、過電流検知特性を維持したまま、負荷回路の駆動不良を回避することができる。
【００１４】
また本発明（９）によれば、前記過電流検知回路を備えるので、電子機器が用いる負荷回路が低電圧かつ高電流であっても、電子機器が用いる電源回路に、過電流保護回路を用いることによって、その電源回路に接続される負荷回路の駆動不良を回避することができる。
【発明を実施するための最良の形態】
【００１５】
図４は、本発明の実施の一形態である過電流保護回路２０を含む電源回路１の構成を示す図である。シリーズレギュレータである電源回路１は、バッテリ１０、トランジスタ１１，１２、コンパレータ１３、定電圧源１４、抵抗素子１５〜１７、出力端子１８、過電流保護回路２０およびＲＥＳＥＴ生成回路３０を備えている。
【００１６】
バッテリ１０は、たとえば車両に搭載されるバッテリなどの直流の定電圧電源であり、バッテリ１０の出力電圧Ｖｃｃは、たとえば１６Ｖである。トランジスタ１１は、ＰＮＰ型のトランジスタ（以下「ＰＮＰトランジスタ」という）であり、エミッタが過電流保護回路２０の抵抗素子２１を介してバッテリ１０に接続され、コレクタが出力端子１８に接続され、ベースがトランジスタ１２のコレクタに接続されている。トランジスタ１１は、バッテリ１０の出力電圧１６Ｖを、たとえば１．２Ｖの電圧に変換して出力する。
【００１７】
トランジスタ１２は、ＮＰＮ型のトランジスタ（以下「ＮＰＮトランジスタ」という）であり、コレクタがトランジスタ１１のベースに接続され、エミッタがグランドに接続され、ベースがコンパレータ１３の出力に接続されている。トランジスタ１２は、コンパレータ１３の出力に応じてトランジスタ１１のベース電流を制御し、トランジスタ１１の出力電圧が１．２Ｖになるように制御する。
【００１８】
コンパレータ１３は、比較器であり、非反転入力端子が定電圧源１４に接続され、反転入力端子が抵抗素子１６と抵抗素子１７との接続点に接続されている。コンパレータ１３は、定電圧源１４が出力する基準電圧と、抵抗素子１６と抵抗素子１７との接続点の電圧との差が０になるように、トランジスタ１２のベースに流す電流を制御する。
【００１９】
定電圧源１４が出力する電圧の電圧値は、トランジスタ１１のコレクタから出力される出力電圧が１．２Ｖのときの抵抗素子１６と抵抗素子１７との接続点の電圧の電圧値に設定されている。抵抗素子１６と抵抗素子１７との接続点の電圧は、出力電圧を抵抗素子１５〜１７によって分圧した電圧である。
【００２０】
過電流保護回路２０は、抵抗素子２１〜２３、コンパレータ２４、定電流源２５およびトランジスタ２６を備えており、トランジスタ１１の入力側から出力側に流れる電流の電流値を検知して、検知した電流値に応じてその電流を停止する。抵抗素子２１は、電流測定用の抵抗であり、一端がバッテリ１０および抵抗素子２２に接続され、他端がトランジスタ１１のエミッタおよび抵抗素子２３に接続されている。抵抗素子２２は、一端がバッテリ１０と抵抗素子２１とに接続され、他端はコンパレータ２４の非反転入力端子および定電流源２５に接続されている。抵抗素子２３は、一端がトランジスタ１１のエミッタおよび抵抗素子２１に接続され、他端がコンパレータ２４の反転入力端子に接続されている。
【００２１】
コンパレータ２４は、比較器であり、非反転入力端子が抵抗素子２２と定電流源２５との接続点に接続され、反転入力端子が抵抗素子２３に接続され、出力がトランジスタ２６のベースに接続されている。コンパレータ１３は、抵抗素子２２と定電流源２５とによって決まる基準電圧よりも、抵抗素子２１によって電圧降下した電圧が低くなると、トランジスタ２６を導通状態とする。
【００２２】
トランジスタ２６は、ＮＰＮトランジスタであり、ベースがコンパレータ２４の出力に接続され、コレクタがトランジスタ１２のベースに接続され、エミッタがグランドに接続されている。トランジスタ２６は、導通状態になると、トランジスタ１２のベース電位を下げ、トランジスタ１２を遮断状態とし、トランジスタ１１の出力を停止する。
【００２３】
図５は、過電流保護回路２０に用いられる定電流源２５の回路構成の一例を示す図である。定電流源２５は、抵抗素子２５１，２５２、トランジスタ２５３、ダイオード２５４トランジスタ２５５，２５６、抵抗素子２５７，２５８、トランジスタ２５９〜２６３、抵抗素子２６４、定電流源２６５および定電圧源２６６を備えており、ＲＥＳＥＴ生成回路３０の過電流用ＲＥＳＥＴ出力端子３７からの信号に応じて、抵抗素子２２を流れる電流の電流値を切り換える。
【００２４】
抵抗素子２５１は、一端が出力電圧Ｖｃｃのバッテリ１０に接続され、他端がトランジスタ２５３のベースおよび抵抗素子２５２に接続されている。抵抗素子２５２は、一端がトランジスタ２５３のベースおよび抵抗素子２５１に接続され、他端がＲＥＳＥＴ生成回路３０の過電流用ＲＥＳＥＴ出力端子３７に接続されている。トランジスタ２５３は、ＰＮＰトランジスタであり、ベースが抵抗素子２５１および抵抗素子２５２に接続され、エミッタが出力電圧Ｖｃｃのバッテリ１０に接続され、コレクタがトランジスタ２５５のコレクタおよびダイオード２５４のカソードに接続されている。ダイオード２５４は、カソードがトランジスタ２５５のコレクタおよびトランジスタ２５３のコレクタに接続され、アノードがトランジスタ２５６のコレクタ、ならびに過電流検知回路２０の抵抗素子２２およびコンパレータ２４の非反転入力端子に接続されている。
【００２５】
トランジスタ２５５は、コレクタがトランジスタ２５３のコレクタおよびダイオード２５４のカソードに接続され、エミッタが抵抗素子２５７を介してグランドに接続され、ベースがトランジスタ２５９のベースおよびコレクタ、ならびにトランジスタ２６０のコレクタに接続されている。トランジスタ２５６は、コレクタがダイオード２５４のアノード、ならびに過電流検知回路の抵抗素子２２およびコンパレータ２４の非反転入力端子に接続され、エミッタが抵抗素子２５８を介してグランドに接続され、ベースがトランジスタ２５５のベースに接続されている。トランジスタ２５５は、電流値Ｉ１の電流を流す定電流源であり、トランジスタ２５６は、電流値Ｉ２の電流を流す定電流源である。
【００２６】
トランジスタ２５９〜２６３、抵抗素子２６４、定電流源２６５および定電圧源２６６は、トランジスタ２５５およびトランジスタ２５６に所定の電流値の電流を流すための電流を、トランジスタ２５５およびトランジスタ２５６のそれぞれのベースに供給するための回路である。トランジスタ２５９，２６２は、ＮＰＮトランジスタであり、トランジスタ２６０，２６１，２６３は、ＰＮＰトランジスタである。
【００２７】
トランジスタ２５９は、エミッタがグランドに接続され、ベースおよびコレクタがトランジスタ２６０のコレクタ、トランジスタ２５５のベースおよびトランジスタ２５６のベースに接続されている。トランジスタ２６０は、エミッタが電源電圧Ｖｃｃのバッテリ１０に接続され、ベースがトランジスタ２６１のベースおよびコレクタ、ならびにトランジスタ２６２のコレクタに接続され、コレクタがトランジスタ２５９のベースおよびコレクタ、トランジスタ２５５のベース、ならびにトランジスタ２５６のベースに接続されている。トランジスタ２６１は、エミッタが電源電圧Ｖｃｃのバッテリ１０に接続され、ベースおよびコレクタがトランジスタ２６０のベースおよびトランジスタ２６２のコレクタに接続されている。
【００２８】
トランジスタ２６２は、コレクタがトランジスタ２６１のベースおよびコレクタ、ならびにトランジスタ２６０のベースに接続され、ベースが、電源電圧Ｖｃｃのバッテリ１０に接続される定電流源２６５およびトランジスタ２６３のエミッタに接続され、エミッタが抵抗素子２６４を介してグランドに接続されている。トランジスタ２６３は、エミッタが定電流源２６５およびトランジスタ２６２のベースに接続され、コレクタがグランドに接続され、ベースが出力電圧Ｖｒｅｆの定電圧源２６６に接続されている。
【００２９】
ＲＥＳＥＴ生成回路３０の過電流用ＲＥＳＥＴ出力端子３７がＬＯＷレベルであると、すなわち停止信号であるＲＥＳＥＴ出力信号が出力されていると、抵抗素子２５１および抵抗素子２５２によって分圧される電圧がトランジスタ２５３を導通状態とする電圧であり、トランジスタ２５３が導通状態となる。このとき、トランジスタ２５５を流れる電流値Ｉ１の電流は、トランジスタ２５３から供給されることになり、抵抗素子２２を流れる電流の電流値は「Ｉ２」である。
【００３０】
ＲＥＳＥＴ生成回路３０の過電流用ＲＥＳＥＴ出力端子３７がＨＩＧＨレベルになると、すなわちＲＥＳＥＴ出力信号が解除されると、抵抗素子２５１および抵抗素子２５２によって分圧される電圧がバッテリ１０の出力電圧Ｖｃｃになり、トランジスタ２５３を遮断状態とする。トランジスタ２５３が遮断状態になると、トランジスタ２５５を流れる電流値Ｉ１の電流は、ダイオード２５４から供給されることになり、抵抗素子２２を流れる電流の電流値は「Ｉ１＋Ｉ２」になる。
【００３１】
停止信号生成回路であるＲＥＳＥＴ生成回路３０は、コンパレータ３１、抵抗素子３２，３３、トランジスタ３４および定電圧源３５を備えており、電源回路１の出力端子１８に接続される負荷回路、たとえばマイクロコンピュータ（以下「マイコン」という）コアなどの動作を停止させる停止信号であるＲＥＳＥＴ出力信号を生成する回路である。コンパレータ３１は、比較器であり、非反転入力端子が抵抗素子１５と抵抗素子１６との接続点に接続され、反転入力端子が抵抗素子３２と抵抗素子３３との接続点に接続され、出力がトランジスタ３４のベース、負荷回路用ＲＥＳＥＴ出力端子３６および過電流用ＲＥＳＥＴ出力端子３７に接続されている。
【００３２】
抵抗素子３２は、一端が定電流源３５に接続され、他端がコンパレータ３１の反転入力端子および抵抗素子３３に接続されている。抵抗素子３３は、一端が抵抗素子３２およびコンパレータ３１の反転入力端子に接続され、他端がトランジスタ３４のコレクタに接続されている。トランジスタ３４は、ＮＰＮトランジスタであり、コレクタが抵抗素子３３に接続され、エミッタがグランドに接続され、ベースがコンパレータ３１の出力に接続されている。定電流源３５は、ＲＥＳＥＴ出力信号を生成するための基準となる電圧を出力する定電圧源である。
【００３３】
トランジスタ１１の出力電圧が０Ｖのとき、抵抗素子１５および抵抗素子１６で分圧された電圧も０Ｖであり、コンパレータ３１は、ＬＯＷレベルを出力し、ＲＥＳＥＴ信号を出力している状態になる。コンパレータの出力がＬＯＷレベルであると、トランジスタ３４は遮断状態となり、コンパレータ３１の反転入力端子には、定電圧源３５の電圧が入力される。トランジスタ１１の出力電圧が上昇し、抵抗素子１５および抵抗素子１６で分圧された電圧が、定電圧源３５の電圧以上になると、コンパレータ３１は、ＨＩＧＨレベルを出力し、ＲＥＳＥＴ信号を解除した状態になる。コンパレータの出力がＨＩＧＨレベルになると、トランジスタ３４は導通状態となり、コンパレータ３１の反転入力端子には、定電圧源３５の電圧が抵抗素子３２および抵抗素子３３で分圧された電圧が入力される。トランジスタ１１の出力電圧が低下し、抵抗素子１５および抵抗素子１６で分圧された電圧が、抵抗素子３２および抵抗素子３３で分圧された電圧以下になると、コンパレータ３１は、ＬＯＷレベルを出力し、ＲＥＳＥＴ信号を出力した状態になる。
【００３４】
図６は、ＲＥＳＥＴ生成回路３０の出力特性を示す図である。縦軸がＲＥＳＥＴ出力信号の電圧であり、横軸が電源回路１の出力電圧すなわちトランジスタ１１の出力電圧である。出力電圧が低いとき、ＲＥＳＥＴ出力信号はＬＯＷレベル、つまりＲＥＳＥＴ出力信号を出力している状態である。出力電圧が上昇する場合、出力電圧が第２の基準電圧値である電圧値Ｖｆｇ（以下「減電圧復帰レベル」という）になると、ＲＥＳＥＴ出力信号はＨＩＧＨレベルに変化、つまりＲＥＳＥＴ出力信号を解除する。出力電圧が低下する場合、出力電圧が第１の基準電圧値である電圧値Ｖｋｇ（以下「減電圧検知レベル」という）になると、ＲＥＳＥＴ出力信号はＬＯＷレベルに変化する。
【００３５】
図７は、過電流保護回路２０の過電流検知特性と負荷線との関係を示す図である。横軸がトランジスタ１１の出力電流であり、縦軸がトランジスタ１１の出力電圧である。トランジスタ１１は、定電圧Ｖｔ３、たとえば１．２Ｖを出力する。第１の制限電流値である電流値Ｉｓ５は、出力電圧が高いときに出力電流を停止する上限の電流値であり、第２の制限電流値である電流値Ｉｓ６は、出力電圧が低いときに出力電流を停止する上限の電流値である。第４の基準電圧値である出力電圧Ｖｆ３は、出力電圧が上昇するときに出力電流の上限値をＩｓ６からＩｓ５に切り換える電圧値（以下「過電流復帰レベル」という）であり、ＲＥＳＥＴ生成回路３０の減電圧復帰レベルである電圧Ｖｆｇと同じ電圧値である。第３の基準電圧値である出力電圧Ｖｋ３は、出力電圧が低下するときに出力電流の上限値をＩｓ５からＩｓ６に切り換える電圧値（以下「過電流検知レベル」という）であり、ＲＥＳＥＴ生成回路３０の減電圧検知レベルである電圧Ｖｋｇと同じ電圧値である。
【００３６】
図７に示す負荷線は、出力端子１８に接続される負荷回路、たとえばマイコンコアに印加される電圧とそのマイコンコアに流れる電流とによって決まる負荷量を表す線である。マイコンコアには、ＲＥＳＥＴ生成回路３０からのＲＥＳＥＴ出力信号が入力されており、ＲＥＳＥＴ出力信号が出力されているとき、すなわちＲＥＳＥＴ出力信号がＬＯＷレベルのとき、マイコンコアは動作を停止する。
【００３７】
マイコンコアが停止しているときの消費電流はごく微量の電流であるので、ＲＥＳＥＴ出力信号が出力されているときに出力電圧が上昇しても電流はほとんど増加せず、負荷線は、出力電圧が過電流復帰レベルＶｆ３になるまで上昇する。出力電圧が過電流復帰レベルＶｆ３に達すると、ＲＥＳＥＴ出力信号が解除され、つまりＨＩＧＨレベルとなる。ＲＥＳＥＴ出力信号が解除されると、マイコンコアが動作を開始し、出力電流は急上昇する。出力電圧が低下する場合は、出力電圧が過電流検知レベルＶｋｇまで低下すると、ＲＥＳＥＴ出力信号が出力され、つまりＬＯＷレベルとなり、マイコンコアが動作を停止し、出力電流は急降下する。
【００３８】
このように、ＲＥＳＥＴ生成回路３０によって、電源回路１が出力する出力電圧が低下するとき、出力電圧が減電圧検知レベル以下になると、電源回路１の出力側に接続されている負荷回路の動作を停止させるＲＥＳＥＴ出力信号の出力が開始され、電源回路１が出力する出力電圧が上昇するとき、出力電圧が減電圧検知レベルよりも高い減電圧復帰レベル以上になると、ＲＥＳＥＴ出力信号の出力が停止される。電源回路１の入力側から出力側に流れる電流の電流値を検知して、検知した電流値に応じて前記電流を停止するにあたって、電源回路１が出力する出力電圧が低下するとき、出力電圧が過電流検知レベル以下になると、電源回路１の入力側から出力側に流れる電流を停止する電流値が、電流値Ｉｓ５から電流値Ｉｓ５よりも低い予め定める電流値Ｉｓ６に切り換えられ、検知した電流値が電流値Ｉｓ６以上になると前記電流が停止される。電源回路１が出力する出力電圧が上昇するとき、出力電圧が過電流検知レベルよりも高い過電流復帰レベル以上になると、電源回路１の入力側から出力側に流れる電流を停止する電流値が電流値Ｉｓ６から電流値Ｉｓ５に切り換えられ、検知した電流値が電流値Ｉｓ５以上になると前記電流が停止される。そして過電流検知レベルは、減電圧検知レベルと同じ電圧値に設定されている。
【００３９】
したがって、出力電圧が低下し、電流を停止する電流値が電流値Ｉｓ６から電流値Ｉｓ５に切り換えられると同時にＲＥＳＥＴ出力信号が出力されるので、低電圧かつ高電流の負荷回路であっても、過電流検知特性を維持したまま、負荷回路の駆動不良を回避することができる。
【００４０】
さらに、過電流復帰レベルは減電圧復帰レベルと同じ電圧値に設定されている。したがって、ＲＥＳＥＴ出力信号が解除されるまで負荷回路は動作することがなく、負荷線が過電流検知特性の過電流復帰レベルと交差することがないので、低電圧かつ高電流の負荷回路であっても、過電流検知特性を維持したまま、負荷回路の駆動不良を回避することができる。
【００４１】
図８は、負荷回路４３の概略の構成を示す図である。負荷回路４３は、マイコンＩ／Ｏ（入出力）４３１およびマイコンコア４３２を備えている。マイコンＩ／Ｏ４３１には、第２のシリーズレギュレータであるシリーズ電源Ａ４１の第２の出力電圧値である電圧値５Ｖの電圧が印加され、マイコンコア４３２には、シリーズレギュレータであるシリーズ電源Ｂ４２の第１の出力電圧値である電圧値１．２Ｖの電圧が印加されている。シリーズ電源Ｂ４２は、図４に示した電源回路１である。
【００４２】
図９は、シリーズ電源Ａ４１の構成の一部を示す図である。シリーズ電源Ａ４１は、図４に示した電源回路１と同じ構成に、起動シーケンス制御トランジスタ４１９を追加した構成である。トランジスタ４１１は、図４に示したトランジスタ１１に対応し、トランジスタ４１２は、図４に示したトランジスタ１２に対応し、コンパレータ４１３は、図４に示したコンパレータ１３に対応する。図９では、負荷回路用ＲＥＳＥＴ出力端子３６は、ＲＥＳＥＴ生成回路３０の出力を反転した信号を出力し、ＲＥＳＥＴ出力信号がＨＩＧＨレベルのとき有効、つまり出力されており、ＲＥＳＥＴ出力信号がＬＯＷレベルのとき解除されている。
【００４３】
起動シーケンス制御トランジスタ４１９は、ＮＰＮトランジスタであり、ベースが負荷回路用ＲＥＳＥＴ出力端子３６に接続され、コレクタがコンパレータ４１３の出力およびトランジスタ４１２のベースに接続され、エミッタがグランドに接続されている。負荷回路用ＲＥＳＥＴ出力端子３６から出力されるＥＳＥＴ出力信号が解除されると、すなわちＬＯＷレベルになると、トランジスタ４１９は、遮断状態となり、トランジスタ４１１は、出力を開始する。ＲＥＳＥＴ出力信号が負荷回路用ＲＥＳＥＴ出力端子３６から出力されると、すなわちＨＩＧＨレベルになると、トランジスタ４１９は、導通状態となり、トランジスタ４１１は、出力を停止する。
【００４４】
図１０は、シリーズ電源Ａ４１およびシリーズ電源Ｂ４２の起動シーケンスの関係を示す図である。横軸は時間であり、縦軸はそれぞれのシリーズ電源の出力電圧である。時刻Ｔ０にシリーズ電源Ｂ４２の出力が開始され、出力電圧が時刻Ｔ１に第５の基準電圧値である電圧値Ｖｓ（以下「起動シーケンスレベル」という）に達すると、シリーズ電源Ａ４１の出力が開始される。これは、起動シーケンスレベルを過電流検知回路２０の過電流復帰レベルと同じ電圧値に設定しておくことによって実現される。過電流復帰レベルは、減電圧復帰レベルと同じ電圧値であるので、出力電圧が起動シーケンスレベルに達したとき、すなわち出力電圧が減電圧復帰レベルに達したとき、ＲＥＳＥＴ出力信号が解除される。ＲＥＳＥＴ出力信号が解除されると、トランジスタ４１９が遮断状態となり、トランジスタ４１１は、出力を開始する。
【００４５】
起動シーケンスレベルＶｓは、シリーズ電源Ｂ４２の出力に接続される負荷回路が正常に動作する電圧に設定され、たとえばシリーズ電源Ｂ４２の出力電圧が１．２Ｖである場合、起動シーケンスレベルＶｓは、１．１Ｖ±０．１Ｖである。
【００４６】
このように、シリーズ電源Ｂ４２によって、電圧値１．２Ｖの電圧が出力され、電圧値１．２Ｖよりも高い電圧値５Ｖの電圧を出力するシリーズ電源Ａ４１によって、シリーズ電源Ｂ４２が出力する出力電圧の電圧値が電源起動シーケンスレベルに達したときに出力が開始され、過電流復帰レベルは、電源起動シーケンスレベルと同じ電圧値に設定されている。
【００４７】
したがって、シリーズ電源Ｂ４２に接続されている負荷回路が正常に動作を開始する電圧になった後、シリーズ電源Ｂ４２よりも出力電圧の高いシリーズ電源Ａ４１が出力を開始するので、出力電圧の低いシリーズ電源Ｂ４２に接続されている負荷回路の誤動作を防止することができる。
【００４８】
起動シーケンスレベルを過電流検知回路２０の過電流復帰レベルと同じ電圧値に設定する代わりに、起動シーケンスレベルを過電流検知回路２０の過電流検知レベルと同じ電圧値に設定しておくことも可能である。この場合、シリーズ電源Ｂ４２の出力電圧が上昇して、過電流復帰レベルよりも電圧値の低い過電流検知レベルになると、シリーズ電源Ａ４１の出力が開始される。そして、その後、出力電圧が過電流復帰レベルになったとき、ＲＥＳＥＴ出力信号が解除される。
【００４９】
このように、シリーズ電源Ｂ４２によって、電圧値１．２Ｖの電圧が出力され、電圧値１．２Ｖより電圧値５Ｖの電圧を出力するシリーズ電源Ａ４１によって、シリーズ電源Ｂ４２が出力する出力電圧の電圧値が電源起動シーケンスレベルに達したときに出力が開始され、過電流検知レベルは、電源起動シーケンスレベルと同じ電圧値に設定されている。したがって、マイコンの実際の負荷電流にあわせることによって、過電流検知レベルと復帰レベルとの差、つまりヒステリシスの幅を大きくすることができ、ノイズに対して誤動作し難くすることができる。
【００５０】
図１１は、シリーズ電源Ｂ４２で用いられるＲＥＳＥＴ生成回路の他の例を示す図である。図１１に示すＲＥＳＥＴ生成回路５０は、図４に示したＲＥＳＥＴ生成回路３０の代わりに用いられる回路であり、抵抗素子５０１〜５０３、定電圧源５０４、コンパレータ（以下「ＣＭＰ」という）Ａ５０５、ＣＭＰＢ５０６、インバータ５０７，５０８、フリップフロップ（以下「ＦＦ」という）Ａ５０９、ディレイ回路５１０，５１１、およびＦＦＢ５１２を備えている。図１１では、ＲＥＳＥＴ生成回路５０が負荷回路用ＲＥＳＥＴ出力端子３６から出力するＲＥＳＥＴ出力信号は、ＲＥＳＥＴ生成回路３０によって負荷回路用ＲＥＳＥＴ出力端子３６から出力されるＲＥＳＥＴ出力信号と、ＨＩＧＨレベルとＬＯＷレベルとが逆転している。すなわち、ＲＥＳＥＴ出力信号は、ＨＩＧＨレベルのとき有効であり、ＬＯＷレベルのとき解除されている。
【００５１】
直列に接続される抵抗素子５０１〜５０３は、トランジスタ１１の出力電圧Ｖｏを分圧し、分圧した電圧をＣＭＰＡ５０５およびＣＭＰＢ５０６に入力する。ＣＭＰＡ５０５は、非反転入力端子が抵抗素子５０１と抵抗素子５０２との接続点に接続され、反転入力端子が定電圧源５０４に接続され、出力がインバータ５０７に接続されている。ＣＭＰＢ５０６は、反転入力端子が抵抗素子５０２と抵抗素子５０３との接続点に接続され、非反転入力端子が定電圧源５０４に接続され、出力がインバータ５０８に接続されている。
【００５２】
インバータ５０７，５０８は、入力信号を反転して出力、すなわち入力がＬＯＷレベルであるとＨＩＧＨレベルを出力し、入力がＨＩＧＨレベルであるとＬＯＷレベルを出力する。インバータ５０７の出力は、ＦＦＡ５０９のＳ入力端子およびディレイ回路５１１に接続され、インバータ５０８の出力は、ＦＦＡ５１２のＲ入力端子およびディレイ回路５１０に接続されている。ディレイ回路５１０，５１１は、図１２で後述する遅延回路である。ディレイ回路５１０の出力は、ＦＦＡ５０９のＲ入力端子に接続され、ディレイ回路５１１の出力は、ＦＦＡ５１２のＳ入力端子に接続されている。
【００５３】
ＦＦＡ５０９は、Ｑ出力端子が負荷回路用ＲＥＳＥＴ出力端子３６に接続され、Ｑ出力端子からＲＥＳＥＴ出力信号を出力する。ＦＦＢ５１２は、Ｑ出力端子が過電流用ＲＥＳＥＴ出力端子３７に接続され、Ｑ出力端子からＲＥＳＥＴ出力信号とは、ＬＯＷレベルからＨＩＧＨレベルに変化するタイミング、およびＬＯＷレベルからＨＩＧＨレベルに変化するタイミングが異なる過電流検知回路用ＲＥＳＥＴ出力信号を出力する。
【００５４】
図１２は、ＲＥＳＥＴ生成回路５０で用いられるディレイ回路５１０，５１１の具体例を示す図である。図１２（ａ）は、４つのインバータ５２１〜５２４を直列に接続して構成されるディレイ回路の例である。図１２（ｂ）は、２つのインバータ５３１，５３４、インバータ５３１とインバータ５３４との間に接続される抵抗素子５３３、および一端がグランドに接続され、他端が抵抗素子５３３の一端に接続されるコンデンサ５３２によって構成されるディレイ回路の例である。ディレイ回路５１０，５１１は、図１２（ａ），（ｂ）に示したディレイ回路であってもよいし、他のディレイ回路であってもよい。
【００５５】
図１３は、ＲＥＳＥＴ生成回路５０が生成する信号と出力電圧との関係を示す図である。横軸は、トランジスタ１１の出力電圧である。ＣＭＰＡ信号は、ＣＭＰＡ５０５の後段のインバータ５０７の出力であり、ＣＭＰＢ信号は、ＣＭＰＢ５０６の後段のインバータ５０８の出力であり、ＦＦＱ信号は、ＦＦＡ５０９のＱ出力端子およびＦＦＡ５１２のＱ出力端子の出力である。ＦＦＡ５０９のＱ出力端子から出力されるＦＦＱ信号とＦＦＡ５１２のＱ出力端子から出力されるＦＦＱ信号とは、ディレイ回路５１０，５１１によって、ＦＦＱ信号が変化するタイミングは異なるが、変化するときの出力電圧は同じである。出力電圧の電圧値Ｖｏ２は、過電流復帰レベルであり、出力電圧の電圧値Ｖｏ１は、過電流検知レベルである。
【００５６】
トランジスタ１１の出力電圧が上昇するとき、出力電圧が電圧値Ｖｏ２に達すると、ＣＭＰＢ信号がＬＯＷレベルからＨＩＧＨレベルに変化する。ＦＦＢ５１２のＲ入力端子に入力されているＣＭＰＢ信号がＬＯＷレベルからＨＩＧＨレベルに変化すると、ＦＦＢ５１２のＱ出力端子の出力は、ＨＩＧＨレベルからＬＯＷレベルに変化、すなわち過電流検知回路用ＲＥＳＥＴ出力信号は解除される。その後、ディレイ回路５１０を通ったＣＭＰＢ信号がＬＯＷレベルからＨＩＧＨレベルに変化して、ＦＦＢ５０９のＲ入力端子に入力され、ＦＦＢ５０９のＱ出力端子の出力は、ＨＩＧＨレベルからＬＯＷレベルに変化、すなわちＲＥＳＥＴ出力信号は解除される。したがって、過電流検知回路用ＲＥＳＥＴ出力信号が解除された後、ＲＥＳＥＴ出力信号が解除される。過電流検知回路用ＲＥＳＥＴ出力信号が解除されたとき、過電流を検出する上限値は、電流値Ｉｓ６から電流値Ｉｓ５に切り換えられ、過電流を検知する電圧値は、過電流復帰レベルから過電流検知レベルに下げられる。
【００５７】
トランジスタ１１の出力電圧が低下するとき、出力電圧が電圧値Ｖｏ１に達すると、ＣＭＰＡ信号がＬＯＷレベルからＨＩＧＨレベルに変化する。ＦＦＢ５０９のＳ入力端子に入力されているＣＭＰＡ信号がＬＯＷレベルからＨＩＧＨレベルに変化すると、ＦＦＢ５０９のＱ出力端子の出力は、ＬＯＷレベルからＨＩＧＨレベルに変化、すなわちＲＥＳＥＴ出力信号は出力される。その後、ディレイ回路５１１を通ったＣＭＰＡ信号がＨＩＧＨレベルからＬＯＷレベルに変化して、ＦＦＢ５１２のＳ入力端子に入力され、ＦＦＢ５１２のＱ出力端子の出力は、ＬＯＷレベルからＨＩＧＨレベルに変化、すなわち過電流検知回路用ＲＥＳＥＴ出力信号は出力される。したがって、ＲＥＳＥＴ出力信号が出力された後、過電流検知回路用ＲＥＳＥＴ出力信号が出力される。過電流検知回路用ＲＥＳＥＴ出力信号が出力されたとき、過電流を検出する上限値は、電流値Ｉｓ５から電流値Ｉｓ６に切り換えられ、過電流を検知する電圧値が過電流検知レベルから過電流復帰レベルに上げられる。
【００５８】
このように、シリーズ電源Ｂ４２の入力側から出力側に流れる電流を停止する電流値が電流値Ｉｓ６から電流値Ｉｓ５に切り換えられた後、ＲＥＳＥＴ生成回路３０によってＲＥＳＥＴ出力信号の出力が停止される。したがって、出力電圧が過電流復帰レベル以上となった後でＲＥＳＥＴ出力信号が解除されるので、それまでの間は負荷回路は動作することがなく、低電圧かつ高電流の負荷回路であっても、過電流検知特性を維持したまま、負荷回路の駆動不良を回避することができる。
【００５９】
さらに、ＲＥＳＥＴ生成回路３０がＲＥＳＥＴ出力信号の出力を開始した後、シリーズ電源Ｂ４２の入力側から出力側に流れる電流を停止する電流値を電流値Ｉｓ５から電流値Ｉｓ６に切り換える。したがって、ＲＥＳＥＴ出力信号が出力された後、すなわち負荷回路の動作が停止した後で、電流を停止する電流値を切り換える基準電圧値を過電流復帰レベルから過電流検知レベルに切り換えるので、低電圧かつ高電流の負荷回路であっても、過電流検知特性を維持したまま、負荷回路の駆動不良を回避することができる。
【００６０】
ＲＥＳＥＴ生成回路５０で生成されたＲＥＳＥＴ出力信号は、負荷回路用ＲＥＳＥＴ出力端子３６から図９に示したシリーズ電源Ａ４１の起動シーケンス制御トランジスタ４１９のベースに供給される。したがって、過電流検知回路用ＲＥＳＥＴ出力信号が解除された後、すなわち、過電流を検出する上限値が電流値Ｉｓ６から電流値Ｉｓ５に切り換えられた後、ＲＥＳＥＴ出力信号が解除されるので、シリーズ電源Ａ４１の電源起動が許可され、シリーズ電源Ａ４１の出力が開始される。
【００６１】
さらに、ＲＥＳＥＴ出力信号が出力された後、すなわち、シリーズ電源Ａ４１の電源起動が停止され、シリーズ電源Ａ４１の出力が停止した後、過電流検知回路用ＲＥＳＥＴ出力信号が出力され、過電流を検出する上限値が電流値Ｉｓ５から電流値Ｉｓ６に切り換えられる。
【００６２】
このように、シリーズ電源Ｂ４２の入力側から出力側に流れる電流を停止する電流値が電流値Ｉｓ６から電流値Ｉｓ５に切り換えられた後、シリーズ電源Ａ４１によって出力が開始される。したがって、出力電圧が過電流復帰レベル以上となった後でシリーズ電源Ａ４１が出力を開始するので、出力電圧の低いシリーズ電源Ｂ４２に接続されている負荷回路の誤動作を防止することができる。
【００６３】
さらに、シリーズ電源Ａ４１が出力を停止した後、シリーズ電源Ｂ４２の入力側から出力側に流れる電流を停止する電流値を電流値Ｉｓ５から電流値Ｉｓ６に切り換える。したがって、シリーズ電源Ａ４１が出力を停止した後で、電流を停止する電流値を切り換える基準電圧値を過電流復帰レベルから過電流検知レベルに切り換えるので、出力電圧の低いシリーズ電源Ｂ４２に接続されている負荷回路の誤動作を防止することができる。
【００６４】
過電流保護回路２０は、電子機器、たとえば車両に搭載されるナビゲーション装置あるいはオーディオ装置などの機器に適用することができる。
【００６５】
このように、過電流検知回路２０を備えるので、電子機器が用いる負荷回路たとえばマイコンコアが低電圧かつ高電流であっても、電子機器が用いる電源回路、たとえばシリーズ電源Ａ４１などに、過電流保護回路２０を用いることによって、その電源回路に接続される負荷回路の駆動不良を回避することができる。
【図面の簡単な説明】
【００６６】
【図１】従来の技術による電源回路９の一例を示す図である。
【図２】シリーズ電源９３で用いられる過電流保護回路の過電流検知特性の一例を示す図である。
【図３】低電圧化かつ高電流化したシリーズレギュレータで用いられる過電流保護回路の過電流検知特性の一例を示す図である。
【図４】本発明の実施の一形態である過電流保護回路２０を含む電源回路１の構成を示す図である。
【図５】過電流保護回路２０に用いられる定電流源２５の回路構成の一例を示す図である。
【図６】ＲＥＳＥＴ生成回路３０の出力特性を示す図である。
【図７】過電流保護回路２０の過電流検知特性と負荷線との関係を示す図である。
【図８】負荷回路４３の概略の構成を示す図である。
【図９】シリーズ電源Ａ４１の構成の一部を示す図である。
【図１０】シリーズ電源Ａ４１およびシリーズ電源Ｂ４２の起動シーケンスの関係を示す図である。
【図１１】シリーズ電源Ｂ４２で用いられるＲＥＳＥＴ生成回路の他の例を示す図である。
【図１２】ＲＥＳＥＴ生成回路５０で用いられるディレイ回路５１０，５１１の具体例を示す図である。
【図１３】ＲＥＳＥＴ生成回路５０が生成する信号と出力電圧との関係を示す図である。
【符号の説明】
【００６７】
１，９  電源回路
１０，９０  バッテリ
１１，２５３，２６０，２６１，２６３  ＰＮＰトランジスタ
１２，２６，３４，２５５，２５６，２５９，２６２  ＮＰＮトランジスタ
１３，２４，３１  コンパレータ
１４，２６６，５０４  定電圧源
１５〜１７，２１〜２３，３２，３３，２５１，２５２，２５７，２５８，２６４、５０１〜５０３，５３３  抵抗素子
１８  出力端子
２０  過電流検知回路
２５，３４，３５，２６５  定電流源
３０，５０  ＲＥＳＥＴ生成回路
３６  負荷回路用ＲＥＳＥＴ出力端子
３７  過電流用ＲＥＳＥＴ出力端子
４１  シリーズ電源Ａ
４２  シリーズ電源Ｂ
４３  負荷回路
９１  ＳＷ電源
９２，９３  シリーズ電源
２５４  ダイオード
４３１  マイコンＩ／Ｏ
４３２  マイコンコア
５０５  ＣＭＰＡ
５０６  ＣＭＰＢ
５１０，５１１  ディレイ回路
５０９  ＦＦＡ
５１２  ＦＦＢ
５０７，５０８，５２１〜５２４，５１，５３４  インバータ
５３２  コンデンサ
【図１】
2009230588.tif 000003
【図２】
2009230588.tif 000004
【図３】
2009230588.tif 000005
【図４】
2009230588.tif 000006
【図５】
2009230588.tif 000007
【図６】
2009230588.tif 000008
【図７】
2009230588.tif 000009
【図８】
2009230588.tif 000010
【図９】
2009230588.tif 000011
【図１０】
2009230588.tif 000012
【図１１】
2009230588.tif 000013
【図１２】
2009230588.tif 000014
【図１３】
2009230588.tif 000015